(57)【要約】【課題】本発明は、使用不可能な状態になってしまった場合でも、簡単に使用可能な状態に戻すことができることを課題としている。【解決手段】本発明の吊掛装置は、天井に取り付けられる支持具１に、吊掛具７を着脱可能に取り付けて使用するものであり、支持具１は、略円盤状で上面を開口させて収納部８を設けてあり、その底面中央に円形の挿入孔９を設け、さらにその外側に円形で小さい操作孔１０を設けてある。また、支持具１の外周縁内面には、当受部２９・３０及び取付孔２３・２３をそれぞれ相対向するように設けてある。支持具１の収納部８には、抜止用具２、駆動具３及び振り分けばね６が収納されている。抜止用具２には、プラスドライバーＤが係合する操作部２２を設け、支持具１の操作孔１０が、抜止用具２の操作部２２に対応するようになっている。【選択図】図６
2015070885.tif 000002
【特許請求の範囲】
【請求項１】
支持具と吊掛具を有し、支持具は、収納部を有し下面に挿入孔を設け、収納部には抜止用具を回動可能に設け、吊掛具は、一端部に挿入孔から挿入可能な挿入部を設けると共に他端部に引掛部を設けて成り、吊掛具の挿入部を挿入孔に挿入し、抜止用具を直接又は間接的に一方向に回動することによって吊掛具の挿入部を支持具に支持させることができると共に、他方向に回動することによって吊掛具の挿入部を支持具から外すことができるように成し、抜止用具には、ドライバー等の工具で回動操作可能な操作部を設けると共に、支持具には、抜止用具の操作部に対応する位置に操作孔を設けて、操作孔から工具で操作部を回動操作して抜止用具を両方向に回動できるように構成したことを特徴とする吊掛装置。
【発明の詳細な説明】
【技術分野】
【０００１】
本発明は、主に、室内の天井に取り付けて、物干具や観葉植物等を吊り下げて使用する吊掛装置に関するものである。
【背景技術】
【０００２】
従来より、天井に取り付けられる支持具に吊掛具を着脱可能に取り付けて成る吊掛装置は、特公平７−１１０２５４号公報（従来例）に記載された発明等多数提案されているし、市販もされている。
【０００３】
上記従来例においては、いずれの実施例も吊掛具の挿入部を支持具の挿入孔に挿入して、吊掛具を回動し抜止具を直接又は間接的に動かして、吊掛具を抜止具によって支持具に支持させることできるものであるが、輸送中の振動や支持具を取付前に落下する等して、その衝撃で抜止具が移動して吊掛具の挿入部を挿入していない状態で挿入孔の一部が塞がれて、挿入部が挿入できなくなる場合があった。
【先行技術文献】
【特許文献】
【０００４】
【特許文献１】特公平７−１１０２５４号公報
【発明の概要】
【発明が解決しようとする課題】
【０００５】
上述したように、支持具の挿入部を挿入していない状態で挿入孔の一部が塞がれてしまった場合には、吊掛具の挿入部を支持具の挿入孔に挿入することができず、使用不可能な状態となってしまうという問題があり、本発明は、簡単に使用可能な状態に戻すことができるよう改良することを課題としている。
【課題を解決するための手段】
【０００６】
本発明は、上記課題を解決するものであり、支持具と吊掛具を有し、支持具は、収納部を有し下面に挿入孔を設け、収納部には抜止用具を回動可能に設け、吊掛具は、一端部に挿入孔から挿入可能な挿入部を設けると共に他端部に引掛部を設けて成り、吊掛具の挿入部を挿入孔に挿入し、抜止用具を直接又は間接的に一方向に回動することによって吊掛具の挿入部を支持具に支持させることができると共に、他方向に回動することによって吊掛具の挿入部を支持具から外すことができるように成し、抜止用具には、ドライバー等の工具で回動操作可能な操作部を設けると共に、支持具には、抜止用具の操作部に対応する位置に操作孔を設けて、操作孔から工具で操作部を回動操作して抜止用具を両方向に回動できるように構成したことを特徴とする吊掛装置である。
【発明の効果】
【０００７】
以上のように本発明によれば、支持具に設けた操作孔からドライバー等の工具で操作部を操作して抜止用具を両方向に回動できるように構成したので、万一支持具を取付前に落下する等して、その衝撃で抜止用具が移動して、吊掛具の挿入部が支持具の挿入孔に挿入できなくなって使用不可能な状態になってしまった場合でも、簡単に使用可能な状態に戻すことができるという効果がある。
【図面の簡単な説明】
【０００８】
【図１】使用状態を示す正面図。
【図２】吊掛具が吊り下げられている状態の支持具内部の平面図。
【図３】吊掛具が吊り下げられていない状態の支持具内部の平面図。
【図４】吊掛具が吊り下げられている状態の要部縦断面図。
【図５】吊掛具が吊り下げられていない状態の要部縦断面図。
【図６】カバーを外して操作部をドライバーで操作している状態の要部縦断面図。
【図７】上から見た全体の分解斜視図。
【図８】下から見た全体の分解斜視図。
【実施例１】
【０００９】
本発明の吊掛装置は、天井に取り付けられる支持具１に、吊掛具７を着脱可能に取り付けて使用するものであり、支持具１は、略円盤状で上面を開口させて収納部８を設けてあり、その底面中央に円形の挿入孔９を設け、さらにその外側に円形で小さい操作孔１０を設けてある。また、支持具１の外周縁内面には、当受部２９・３０及び取付孔２３・２３をそれぞれ相対向するように設けてある。支持具１の収納部８には、抜止用具２、駆動具３及び振り分けばね６が収納されている。
【００１０】
抜止用具２は、略扇型で、扇のかなめ部に軸部１４を設け、先端には、円弧状部を立ち上げてその内側に歯車状の従動部１３を設け、中間部には、大きい直径寸法の円形状の通過孔１１を設け、この通過孔１１に続いて小さい直径寸法の円形状の係合孔１２を連設してだるま状の孔を設けてある。また、従動部１３の外側には、振り分けばね６の一端が取り付けられるようになっている。さらに、軸部１４の下面には、操作孔１０に対応する位置に、プラスドライバーＤが係合するプラス孔である操作部２２を設けてある。抜止用具２は、その側面が支持具１の当受部２９・３０にそれぞれ当接する範囲内で、軸部１４を中心として回動できるようになっている。
【００１１】
駆動具３は、略円筒状で上部に鍔部２６を設け、中央の円形の貫通孔を受入孔部１５とし、その受入孔部１５の上部内周には凹凸状の係受部１６を設け、鍔部２６下部の外周の一部に従動部１３と噛み合う歯車状の主動部１７を設けてある。さらに、鍔部２６の一部を切り欠いて、その両端面を当接面２７・２８としてある。
【００１２】
カバー４は、支持具１の挿入孔９に対応するところに円形孔（符号なし）が設けられており、支持具１に下面から操作孔１０を含めて全体を覆うように取り付けられる。
【００１３】
裏蓋５は、取付孔２３・２３に対応する部分を切り欠いた略円板状で、内面側に、駆動具３を回動可能に遊嵌する円筒状の回動受部２４と、抜止用具２を回動可能に遊嵌する円筒状の軸受部２５を設け、さらに、回動受部２４の内周面には、内方に突出する当受突起３１を設けてあり、４本の取付脚（符号なし）で支持具１の開口に被せて取り付けられるものである。当受突起３１には駆動具３の当接面２７・２８が当接する。
【００１４】
吊掛具７は、シャフト１８の上端部に略半球状の挿入部２０を、下端部にリング状の引掛部１９を設けて成り、挿入部２０の上部円周には、駆動具３の係受部１６と係合する凹凸状の係動部２１を設けてある。
【００１５】
組立方を説明する。抜止用具２を支持具１の収納部８に収納して、軸部１４を操作孔１０に遊嵌して操作部２２を操作孔１０から操作可能に設け、通過孔１１が挿入孔９に対応するよう一方の当受部２９に当接する角度にして、振り分けばね６を支持具１と抜止用具２にそれぞれ取り付ける。その後、駆動具３を、主動部１７が従動部１３に噛み合うようにして抜止用具２の上に配置し、裏蓋５を、軸受部２５を抜止用具２の軸部１４に遊嵌すると共に、回動受部２４を駆動具３の鍔部２６に遊嵌し、当接突起３１が一方の当接面２７に当接するようにして取付脚（符号なし）で被着し、取付孔２３・２３から取付ねじで天井に取り付けて、カバー４を支持具１の表面に被着すれば完了である。
【００１６】
使用方法を説明する。抜止用具２の一側面が支持具１の当受部２９に当接すると共に、駆動具３の当接面２７が裏蓋５の当受突起３１の一側面に当接し、抜止用具２の通過孔１１が支持具１の挿入孔９に位置している状態から、吊掛具７の挿入部２０を支持具１の挿入孔９から駆動具３の受入孔部１５に挿入し、それぞれの係動部２１と係受部１６を噛み合わせて、下面視で右に回動すると、駆動具３も右に回動し、その主動部１７が抜止用具２の従動部１３を動かして、抜止用具２が振り分けばね６の力に抗して右に回動し、抜止用具２の他側面が支持具１の当受部３０に当接すると共に、駆動具３の当接面２８が裏蓋５の当受突起３１の他側面に当接し、抜止用具２の係合孔１２が支持具１の挿入孔９に位置し、挿入孔９の一部が塞がれた状態になり、手を放すと、吊掛具７は少し下がって係動部２１と係受部１６の噛み合いが外れ、吊掛具７の挿入部２０が係合孔１２の周縁に当接して抜け止めされ、吊掛具７が支持具１に吊り下げられた使用状態となる。
【００１７】
そして、この使用状態から、吊掛具７を少し持ち上げて、係動部２１と係受部１６を噛み合わせ、下面視で上記と逆の左に回動すると、駆動具３も左に回動し、その主動部１７が抜止用具２の従動部１３を動かして、抜止用具２が振り分けばね６の力に抗して左に回動し、抜止用具２の一側面が支持具１の当受部２９に当接すると共に、駆動具３の当接面２７が裏蓋５の当受突起３１の一側面に当接し、抜止用具２の通過孔１１が支持具１の挿入孔９に位置し、吊掛具７を下方へ移動させて支持具１から取り外すことができる。
【００１８】
従動部１３を動かす主動部１７を設けた駆動具３が、支持具１に挿入孔９を挟んで抜止用具２の従動部１３と反対側に回動可能に軸支されるように構成されているので、駆動具３を大きく回動して抜止用具２を小さく回動させることになり、直線摺動に比べて吊掛具７によって駆動具３を軽い力で回動させることができ、また、ほどよい回動角度を必要とし操作感が良好となる。なお、本実施例においては、駆動具３の回動角度は７７度に対し、抜止用具２の角度は２３度である。
【００１９】
そして、本発明の吊掛装置は、組み立てられた初期状態においては、抜止用具２の通過孔１１が支持具１の挿入孔９に位置する状態としてあるが、輸送中の振動や落下する等して衝撃が加わって、万が一、抜止用具２が振り分けばね６の力に抗して回動して、抜止用具２の係合孔１２が支持具１の挿入孔９に位置する状態となってしまった場合、吊掛具７の挿入部２０が支持具１の挿入孔９から挿入できない事態となる。この時に、カバー４を外して、支持具１の操作孔１０からプラスドライバーＤを操作部２２に係合させて（図６参照）、下面視で左に回動すれば、抜止用具２は左に回動し、抜止用具２の通過孔１１が支持具１の挿入孔９に位置する初期状態に戻すことができるものである。この支持具１の操作孔１０は、カバー４を支持具１の表面に被着すると見えなくなるようになっている。
【００２０】
また、冬期だけその下に石油ストーブを置き、支持具１に支持された吊掛具７に洗濯物を干すと危険である等、使用すると不都合である場合には、プラスドライバーＤで操作部２２を回動操作して、吊掛具７の挿入部２０が支持具１の挿入孔９から挿入できない状態にし、意図的に使用不可能な状態にすることもできる。
【符号の説明】
【００２１】
１    支持具
２    抜止用具
７    吊掛具
８    収納部
９    挿入孔
１０    操作孔
１９    引掛部
２０    挿入部
２２    操作部
【図１】
2015070885.tif 000003
【図２】
2015070885.tif 000004
【図３】
2015070885.tif 000005
【図４】
2015070885.tif 000006
【図５】
2015070885.tif 000007
【図６】
2015070885.tif 000008
【図７】
2015070885.tif 000009
【図８】
2015070885.tif 000010